(57)【要約】【課題】本発明は、テーブル２０を均一の照度で照明することができるとともに、コストダウンを図ることができる資料提示装置１０を提供することを課題とする。【解決手段】資料提示装置１０は、テーブル２０と、ビデオカメラ３０と、照明部３３とを備えている。照明部３３は、チップ状の発光ダイオードからなる光源３４と、光源３４とテーブル２０との間に介在し光源３４から発する光を透過・散乱してテーブル２０を照明するための光散乱部材３５とを備えている。光散乱部材３５は、光源３４とテーブル２０とを最短距離で結ぶ直線を中心とした光散乱部３９を有し、光散乱部３９は、第１散乱面３９ａが第２散乱面３９ｂより光の散乱する度合いを大きく形成し、さらに光を散乱しない非散乱面３９ｃとしている。【選択図】図５
2008311729.tif 000002
【特許請求の範囲】
【請求項１】
被撮像物を載置するテーブル（２０）と、該テーブル（２０）側を撮像方向とするビデオカメラ（３０）と、テーブル（２０）を照明するための照明部（３３）とを備えた撮像装置であって、
上記照明部（３３）は、チップ状の発光ダイオードからなる光源（３４）と、該光源（３４）と上記テーブル（２０）との間に介在し上記光源（３４）から発する光を透過・散乱してテーブル（２０）を照明するための光散乱部材（３５）と、
を備え、
上記光散乱部材（３５）は、上記光源（３４）と上記テーブル（２０）とを最短距離で結ぶ直線を中心とした光散乱部（３９）を有し、該光散乱部（３９）は、上記中心の周辺部分が他の部分より光の散乱する度合いを大きく形成したこと、
を特徴とする撮像装置。
【請求項２】
請求項１に記載の撮像装置において、
上記光散乱部（３９）は、光を散乱させる凹凸状のシボにより形成した撮像装置。
【請求項３】
請求項２に記載の撮像装置において、
上記光散乱部（３９）は、同心円上に配置されかつ凹凸形状の違いにより光の散乱する度合いが異なる第１散乱面（３９ａ）および第２散乱面（３９ｂ）を備えている撮像装置。
【請求項４】
請求項１ないし請求項３のいずれかに記載された撮像装置において、
上記テーブル（２０）は、上記カメラ支持部材（４０）を固定する固定部材（２１）と、該固定部材（２１）の側部にそれぞれ回動可能に支持された展開板（２２Ｒ，２２Ｌ）を備え、
上記ビデオカメラ（３０）および上記照明部（３３）は、上記テーブル（２０）の中央上方であって、上記固定部材（２１）に固定されたカメラ支持部材（４０）にそれぞれ装着されている撮像装置。
【発明の詳細な説明】
【技術分野】
【０００１】
本発明は、被撮像物を載置するテーブルと該テーブル側を撮像方向とするビデオカメラとを備えた撮像装置に関し、詳しくは照明機構に関する。
【背景技術】
【０００２】
従来、この種の撮像装置として、ビデオカメラを備え、資料を撮像してモニタテレビなどに表示する資料提示装置が知られている。すなわち、資料提示装置では、文書や写真などを撮像しやすいように、資料を載置するテーブルを備え、このテーブルに対してビデオカメラが向くようにして当該カメラを支柱で保持するとともに、撮像時の光量を補うために照明ユニットが装着されている（特許文献１）。従来の装置における照明ユニットは、輝度の低い発光ダイオード（ＬＥＤ）を多数集めて広い範囲からテーブルを均一に照明するようにしているが、多数のＬＥＤを用いているために、配線の複雑化を招いたり、メンテナンスの手間がかかるという問題があった。
【０００３】
【特許文献１】特開２００３−２０９７１７号公報
【発明の開示】
【発明が解決しようとする課題】
【０００４】
本発明は、上記課題を解決することを踏まえ、テーブルを均一の照度で照明することができるとともに、配線の簡略化およびメンテナンスの容易化を実現した撮像装置を提供することを目的とする。
【課題を解決するための手段】
【０００５】
本発明は、上述の課題の少なくとも一部を解決するためになされたものであり、以下の形態又は適用例として実現することが可能である。
【０００６】
［適用例１］
被撮像物を載置するテーブルと、該テーブル側を撮像方向とするビデオカメラと、テーブルを照明するための照明部とを備えた撮像装置であって、
上記照明部は、チップ状の発光ダイオードからなる光源と、該光源と上記テーブルとの間に介在し上記光源から発する光を透過・散乱してテーブルを照明するための光散乱部材と、
を備え、
上記光散乱部材は、上記光源と上記テーブルとを最短距離で結ぶ直線を中心とした光散乱部を有し、該光散乱部は、上記中心の周辺部分が他の部分より光の散乱する度合いを大きく形成したこと、
を特徴とする。
【０００７】
適用例１に記載の撮像装置において、テーブルの上に被撮像物を置いて、ビデオカメラにより被撮像物を撮像して、ディスプレイなどに表示する。このように、テーブルに置いた原稿をディスプレイで表示しつつ原稿を説明するなどのプレゼンテーションを行なうことができる。
また、テーブルは、撮像時に照明部の光源から発する光が光散乱部材を透過することで照明される。光散乱部材は、光源とテーブルとを最短距離で結ぶ直線を中心とした光散乱部を有している。光散乱部は、上記中心の周辺部分が他の部分より光の散乱する度合いを大きく形成したので、チップ型のＬＥＤのような大きな輝度で発行する点光源を用いても、ビデオカメラで撮像したときに、光源の真下のテーブル上の照度が部分的に高くなったスポットを生じることがなく、均一の明るさでテーブルを照明することができる。
また、チップ型のＬＥＤから形成された光源を用いることにより、従来の技術で説明したように、輝度の低いＬＥＤを多数集めた光源を用いた場合と比べて、コストダウンを実現できる。
【０００８】
［適用例２］
また、適用例１に記載の撮像装置であって、上記光散乱部は、光を散乱させる凹凸状のシボにより形成することができる。この構成によれば、光散乱部材を射出成形で形成したときに金型のシボの形成により光散乱部を容易に作成することができる。さらに、光散乱部は、同心円上に配置されかつ凹凸形状の違いにより光の散乱する度合いが異なる第１散乱面および第２散乱面を備えている構成をとることができる。この構成により、均一な照明を実現することができる。
【０００９】
［適用例３］
適用例１などに記載の撮像装置であって、本発明の他の好適な態様として、上記テーブルは、上記カメラ支持部材を固定する固定部材と、該固定部材の側部にそれぞれ回動可能に支持された展開板を備え、上記ビデオカメラおよび上記照明部は、上記テーブルの中央上方であって、上記固定部材に固定されたカメラ支持部材にそれぞれ装着されている構成をとることができる。この構成により、テーブルの中央上方にビデオカメラおよび照明部を設置したときに、テーブル全体にわたって均一な照明を得ることができる。
【発明を実施するための最良の形態】
【００１０】
（１）  資料提示装置１０の概略構成
次に、本発明に係る撮像装置の実施の形態を実施例に基づき説明する。図１は実施例としての資料提示装置１０の使用状態を示す斜視図、図２はこの資料提示装置１０の使用状態を示す側面図、図３は資料提示装置１０の収納状態を示す斜視図である。図１に示すように、資料提示装置１０は、Ａ４の用紙サイズより大きな面積を有するテーブル２０と、ビデオカメラ３０および照明部３３を先端に搭載したカメラ支持部材４０と、展開機構５０とを備えている。資料提示装置１０の構成により、図３の資料提示装置１０の収納状態から、図１および図２のように展開機構５０によってテーブル２０を使用状態に展開し、テーブル２０の上に原稿などを載置し、照明部３３でテーブル２０上を照らし、ビデオカメラ３０により撮像して、ディスプレイにより表示する。このように、テーブル２０に置いた原稿をディスプレイで表示しつつプレゼンテーションを行なうことができる。以下、資料提示装置１０の各部の構成および動作について説明する。
【００１１】
（２）  資料提示装置１０の各部の構成
（２）−１  テーブル２０
テーブル２０は、カメラ支持部材４０の下端に固定された固定部材２１と、この固定部材２１の両側に回転可能に支承された２つの展開板２２Ｒ，２２Ｌから構成されている。固定部材２１および展開板２２Ｒ，２２Ｌは、合成樹脂製の薄板であり、これらの図には示していないが、その裏面には、補強用の図示しない金属板が固定されている。固定部材２１は、その両側に所定長さに亘って凹部が設けられており、ここに、展開板２２Ｒ，２２Ｌの凸部が嵌り込む。両者の嵌め合い部には、貫通孔が設けられており、ここに、回転軸２３Ｒ，２３Ｌを挿入することにより、展開板２２Ｒ，２２Ｌは、固定部材２１に対して回転可能になっている。
【００１２】
（２）−２  ビデオカメラ３０およびカメラ支持部材４０
図４はビデオカメラ３０を斜め下方から見た状態を示す斜視図である。ビデオカメラ３０は、カメラ支持部材４０の上部下面に装着されている。カメラ支持部材４０は、固定部材２１に連結されたベース部４１と、このベース部４１に回転可能に連設されたアーム部４３と、このアーム部４３に回転可能に連設されビデオカメラ３０を固定するカメラ保持部材４５から構成されている。ベース部４１内には、展開機構５０および電子回路などが収納されている。
【００１３】
カメラ保持部材４５には、ビデオカメラ３０が収納されており、そのビデオカメラ３０の撮像レンズ３１がカメラ保持部材４５の下面に配置されている。また、撮像レンズ３１に対してカメラ保持部材４５の先端側には、照明部３３が設けられている。図５はビデオカメラ３０および照明部３３の付近を示す断面図である。照明部３３は、指向性の強い発光ダイオード（ＬＥＤ）などの点光源からなる光源３４と、光源３４の光を分散させてテーブル２０（図１）の全面にわたって均一な照明を行なうための光散乱部材３５とを備えている。この光源３４を点灯して光散乱部材３５を介してテーブル２０の全面に照明するとともに、この反射光をビデオカメラ３０により撮像して、出力端子を通じて外部信号を出力する。
【００１４】
図６は照明部３３を分解した斜視図である。図６において、ＬＥＤからなる光源３４は、プリント基板３３ａに固定されており、例えば、日亜化学工業株式会社製；白色チップタイプＬＥＤ  型名（ＮＳ６Ｗ０８３Ｔ）を用いることができる。この光源３４は、基板上に複数個（例えば、６個）の発光素子を単一のチップ内に配置することに構成されている。
光散乱部材３５は、カメラ支持部材４０（図５）に装着するための支持基板３６と、支持基板３６から突設されたカップ形状の光透過部３７とを備え、透光性を有するポリカーボネイト（ＰＣ）から形成されている。支持基板３６は、基板本体３６ａと、基板本体３６ａの側端から突設された位置決め片３６ｂ，３６ｃと、基板本体３６ａから裏面側から突設された嵌合突部３６ｄとを備えており、図５に示すように、位置決め片３６ｂ，３６ｃおよび嵌合突部３６ｄがカメラ支持部材４０の凹所にそれぞれ挿入されることでカメラ支持部材４０に位置決めされるとともにねじ止め固定されている。
光透過部３７は、支持基板３６から突設された円筒状の側壁部３８と、側壁部３８の下端に一体形成された円板状の光散乱部３９とを備えたカップ形状に形成されている。図７は光散乱部材３５を示す平面図である。光散乱部３９は、光源３４とテーブル２０とを最短距離に結ぶ直線ＣＰを中心として、第１散乱面３９ａと、第１散乱面３９ａと同心円でありかつ第１散乱面３９ａより外径の大きい第２散乱面３９ｂと、第２散乱面３９ｂと同心円でありかつ第２散乱面３９ｂより外径の大きい非散乱面３９ｃとを備えている。
第１および第２散乱面３９ａ，３９ｂは、シボ加工が施されることで形成された微小の凹凸面になっており、第１散乱面３９ａが第２散乱面３９ｂより光を散乱させる割合が大きい凹凸面になっている。ここで、光散乱部材３５を樹脂の射出成形により形成するシボ加工は、汎用の方法を用いることができる。すなわち、光散乱部３９を形成する金型の成形面は、エッチング、電鋳・放電加工を用いて凹凸面とし、この凹凸面を第１散乱面３９ａおよび第２散乱面３９ｂに転写することにより形成する。ここで、第１散乱面３９ａは、シボの細いもの、第２散乱面３９ｂは、第１散乱面３９ａよりもシボの粗いもの、これにより、第１散乱面３９ａは、第２散乱面３９ｂより光の散乱の割合を大きくしている。また、非散乱面３９ｃは、シボのない平面であり、光の散乱を生じないようにしている。なお、シボは、艶ありタイプで散乱度合いを大きくし、シボの艶なしタイプで散乱度合いを小さくしてもよい。
【００１５】
（３）  資料提示装置１０の動作
資料提示装置１０を使用するには、図３に示すように、資料提示装置１０は、テーブル２０の展開板２２Ｒ，２２Ｌがカメラ支持部材４０に合わさって閉じられた状態から、展開板２２Ｒ，２２Ｌを離して、展開板２２Ｒ，２２Ｌをその自重により回転軸２３Ｒ，２３Ｌを中心に回動させる。これにより、展開板２２Ｒ，２２Ｌが開き、図１および図２に示すように載置台に乗ったときに停止する。これにより、資料提示装置１０は、使用状態になる。電源コードやディスプレイとの接続をとることの接続を接続するとともに、電源スイッチを入れる。これにより、図８に示すように、光源３４からの光が光散乱部材３５を通じて展開されたテーブル２０上に当てられ、この状態にて、テーブル２０に乗せられた資料がビデオカメラ３０に撮像される。
【００１６】
（４）  実施例の作用効果
上記実施例により、以下の作用効果を奏する。
（４）−１  図５および図８に示すように、光散乱部材３５は、光散乱部３９に凹凸状のシボを形成し、しかも、照明部３３がテーブル２０に向かう最短距離の直線から離れるにつれて光の散乱の度合いが小さくなるように、第１散乱面３９ａ、第２散乱面３９ｂ、非散乱面３９ｃを配置したので、第１散乱面３９ａ、第２散乱面３９ｂ、非散乱面３９ｃを透過した光で照明される領域Ｒａ，Ｒｂ，Ｒｃは、直線ＣＰから離れるにつれて照度が小さくなる。よって、資料提示装置１０は、ビデオカメラ３０で撮像したときに、指向性の高いチップ型のＬＥＤからなる光源３４を用いていても、光源３４の真下の最短距離の部位におけるテーブル２０上の照度が部分的に高くなったスポットを生じることがない。しかも、光散乱部３９は、複数の段階で照度を落としているから、テーブル２０上での照度の変化をより低減することができる。
【００１７】
（４）−２  照明部３３は、チップ型のＬＥＤから形成された単一の光源３４を用いているので、従来の技術で説明したように、輝度の低いＬＥＤを多数集めて光源した場合と比べて、配線を簡略化し、メンテナンスを容易にすることができる。
【００１８】
（４）−３  テーブル２０の中央部の固定部材２１からカメラ支持部材４０を立設して、カメラ支持部材４０の上部下面であって、テーブル２０の中央上方にビデオカメラ３０および照明部３３を配置しているので、単一の光源３４であっても、テーブル２０を均一の照度で照明することができる。
【００１９】
（５）  他の実施例
この発明は上記実施例に限られるものではなく、その要旨を逸脱しない範囲において種々の態様において実施することが可能であり、例えば次のような変形も可能である。
（５）−１  上記実施例では、照明部３３は、カメラ保持部材４５の下面に１つ設けたが、これに限らず、テーブルの上方や側方に複数箇所設定してもよく、その配置および個数は特に限定されない。
（５）−２  光散乱部３９は、２段階のシボで形成した第１散乱面３９ａおよび第２散乱面３９ｂにより構成したが、これに限らず、３以上の多段階、あるいは連続的に光散乱の度合いが異なる構成であってもよい。
（５）−３  上記実施例では、光散乱部３９のシボを光散乱部材３５の内側面（上面）に形成した構成について説明したが、これに限らず、光散乱部材３５の外側面（下面）に形成してもよく、また、内側面および外側面の両方に形成してもよい。また、シボの形状は、円形に限らず、楕円や、テーブルの形状に合わせた４角形であってもよい。
（５）−４  上記実施例では、光散乱部材３５の光散乱部３９は、シボによる凹凸面で形成したが、これに限らず、光の散乱度合いの異なる樹脂材料を２色成形など形成してもよい。
（５）−５  展開部材を有する折り畳み式のテーブルを有するものについて説明したが、平板状のテーブルを有する形態の撮像装置にも適用できる。また、ビデオカメラとしては、単焦点レンズを搭載したものに限らず、ズームレンズを搭載したタイプのものであっても採用可能である。
【図面の簡単な説明】
【００２０】
【図１】実施例としての資料提示装置の使用状態を示す斜視図である。
【図２】資料提示装置の使用状態を示す側面図である。
【図３】資料提示装置の収納状態を示す斜視図である。
【図４】ビデオカメラを斜め下方から見た状態を示す斜視図である。
【図５】ビデオカメラおよび照明部の付近を示す断面図である。
【図６】照明部を分解した斜視図である。
【図７】光散乱部材を示す平面図である。
【図８】資料提示装置の照明作用を説明する説明図である。
【符号の説明】
【００２１】
１０…資料提示装置
２０…テーブル
２１…固定部材
２２Ｒ，２２Ｌ…展開板
２３Ｒ，２３Ｌ…回転軸
３０…ビデオカメラ
３１…撮像レンズ
３３…照明部
３３ａ…プリント基板
３４…光源
３５…光散乱部材
３６…支持基板
３６ａ…基板本体
３６ｂ，３６ｃ…位置決め片
３６ｄ…嵌合突部
３７…光透過部
３８…側壁部
３９…光散乱部
３９ａ，３９ｂ…第１および第２散乱面
３９ｃ…非散乱面
４０…カメラ支持部材
４１…ベース部
４３…アーム部
４５…カメラ保持部材
５０…展開機構
【図１】
2008311729.tif 000003
【図２】
2008311729.tif 000004
【図３】
2008311729.tif 000005
【図４】
2008311729.tif 000006
【図５】
2008311729.tif 000007
【図６】
2008311729.tif 000008
【図７】
2008311729.tif 000009
【図８】
2008311729.tif 000010